(57)【要約】【課題】人体の腕部に、容易かつ迅速に装着可能なエルボガードを提供する。【解決手段】表て面１ａ側に面状ファスナ雌雄一方部Ｆａを有する横断面Ｕ字状の肘保護本体１と、肘保護本体１の両側端縁部１ｄ,１ｄに橋架状に縫着された仮装着用の仮止め弾性帯体２と、肘保護本体１の面状ファスナ雌雄一方部Ｆａに係合分離自在な面状ファスナ雌雄他方部Ｆｂを有し肘保護本体１に対して完全分離自在な本装着用の本止め弾性帯体３と、を備えた。【選択図】図２
2020068948.tif 000002
【特許請求の範囲】
【請求項１】
表て面（１ａ）側に面状ファスナ雌雄一方部（Ｆａ）を有する横断面Ｕ字状の肘保護本体（１）と、上記肘保護本体（１）の両側端縁部（１ｄ）（１ｄ）に橋架状に縫着された仮装着用の仮止め弾性帯体（２）と、上記肘保護本体（１）の上記面状ファスナ雌雄一方部（Ｆａ）に係合分離自在な面状ファスナ雌雄他方部（Ｆｂ）を有し上記肘保護本体（１）に対して完全分離自在な本装着用の本止め弾性帯体（３）と、を備えたことを特徴とするエルボガード。
【請求項２】
上記肘保護本体（１）は、表て生地（11）と裏生地（13）とが積層状に配設された外周縁部を挟持するように縫着される縁巻部材（14）を有し、
上記仮止め弾性帯体（２）の各端部（21）は、上記肘保護本体（１）の上記裏生地（13）と上記縁巻部材（14）の間に挟み込み状に縫着されている請求項１記載のエルボガード。
【発明の詳細な説明】
【技術分野】
【０００１】
本発明は、エルボガードに関する。
【背景技術】
【０００２】
従来、野球やソフトボール等の打者の肘部を保護するためのエルボガードは、図６に示すように、人体の肘部を保護するための肘保護本体91と、人体の上腕部に巻き付けられる装着用のベルト部材92と、ベルト部材92を挿通させて折り返すためのリング部材93と、を備えたものが公知である（例えば、特許文献１参照）。
【先行技術文献】
【特許文献】
【０００３】
【特許文献１】特開２０１７−１７６６６５号公報
【発明の概要】
【発明が解決しようとする課題】
【０００４】
しかし、従来のエルボガードは、ひとり（片手）で装着する際に、図６（Ａ）に示すように、装着前の準備状態として、ベルト部材92を、リング部材93に挿通させて、ベルト部材92と肘保護本体91とで包囲される装着用空間部Ｋを形成する。その後、人体の腕部を、その装着用空間部Ｋに挿通させて、肘保護本体91を、人体の肘部乃至その近傍の装着位置に配設する。しかし、装着位置に配設する際に、図６（Ｂ）に示すように、肘保護本体91とベルト部材92とが相対的に離間する方向（矢印Ｙ１参照）に、不要な力が作用すると、ベルト部材92が引っ張られて（矢印Ｙ２参照）、図６（Ｃ）に示すように、ベルト先端部92ａがリング部材93から抜けてしまい、一人での装着が困難になるという問題があった。さらに、再び、図６（Ａ）に示すような装着用空間部Ｋを形成するために、ベルト部材92をリング部材93に挿通させる必要があるため、装着に手間と時間がかかるといった問題があった。
【０００５】
そこで、本発明は、人体の腕部に、容易かつ迅速に装着可能なエルボガードの提供を目的とする。
【課題を解決するための手段】
【０００６】
本発明のエルボガードは、表て面側に面状ファスナ雌雄一方部を有する横断面Ｕ字状の肘保護本体と、上記肘保護本体の両側端縁部に橋架状に縫着された仮装着用の仮止め弾性帯体と、上記肘保護本体の上記面状ファスナ雌雄一方部に係合分離自在な面状ファスナ雌雄他方部を有し上記肘保護本体に対して完全分離自在な本装着用の本止め弾性帯体と、を備えたものである。
また、上記肘保護本体は、表て生地と裏生地とが積層状に配設された外周縁部を挟持するように縫着される縁巻部材を有し、上記仮止め弾性帯体の各端部は、上記肘保護本体の上記裏生地と上記縁巻部材の間に挟み込み状に縫着されているものである。
【発明の効果】
【０００７】
本発明によれば、肘保護本体と仮止め弾性帯体で形成される装着用空間部に、装着者の腕部を通すだけで、肘保護本体を装着者の腕部に仮止め（抜け止め）でき、その後、本止め弾性帯体を取着して本止めできる。従って、容易かつ迅速に選手ひとりで（片手で）装着できる。構造が簡素で、部品点数や縫製工程が少なく、容易（安価）に製造できる。軽量で、装着者に違和感や不快感を与えることが無く、使い勝手に優れる。本止め弾性帯体にて装着力（締付力）を容易に変更でき、装着後の位置ズレを防ぎ、かつ、違和感や不快感を軽減できる。
【図面の簡単な説明】
【０００８】
【図１】本発明の実施の一形態を示し、本装着状態の斜視図である。
【図２】装着前の斜視図である。
【図３】装着前の横断面図である。
【図４】仮装着状態の横断面図である。
【図５】本装着状態の横断面図である。
【図６】従来例を示す断面図であって、（Ａ）は装着準備状態の断面図であり、（Ｂ）はベルト抜け途中状態の断面図であり、（Ｃ）はベルト抜け状態の断面図である。
【発明を実施するための形態】
【０００９】
以下、図示の実施形態に基づき本発明を詳説する。
本発明のエルボガードは、図１に示すように、装着者（人体）の肘部Ｅを保護するために腕部に装着される肘保護本体１を備えたものであって、例えば、野球やソフトボール等の球技の打者の上腕部Ｊに装着される。
【００１０】
図２と図３に示すように、肘保護本体１に固着された仮装着用の仮止め弾性帯体２と、肘保護本体１に着脱自在な本装着用の本止め弾性帯体３と、を備えている。
【００１１】
肘保護本体１は、表て面１ａに面状ファスナ雌雄一方部Ｆａを有する横断面Ｕ字状である。肘保護本体１は、一方の側片部１ｋ（側端縁部１ｄ）と、他方の側片部１ｋ（側端縁部１ｄ）とが、相互に接近・離間する本体幅方向Ｗに弾性変形可能である。
【００１２】
肘保護本体１は、表て生地11と、裏生地13と、表て生地11と裏生地13の間に配設された中間材12と、面状ファスナ雌雄一方部Ｆａを有する帯状の本体用ファスナ材15と、表て生地11と裏生地13とが積層状に配設された外周縁部を全周に渡って挟持するように縫着された縁巻部材14と、を有している。
【００１３】
中間材12は、弾性変形可能な横断面Ｕ字状の表て側内装体12ａと、弾性変形可能な横断面Ｕ字状の裏側内装体12ｂと、表て側内装体12ａと裏側内装体12ｂの間に配設される弾性変形可能な横断面Ｕ字状の芯材12ｃと、を有する三層構造である。
【００１４】
本体用ファスナ材15の長手方向中間部は、表て生地11の表て面に縫着され、本体用ファスナ材15の各端部は、表て生地11と縁巻部材14の間に挟み込み状として、縁巻部材14と共に表て生地11に縫着している。つまり、面状ファスナ雌雄一方部Ｆａ（以下、本体ファスナ部Ｆａと呼ぶ場合もある）は、表て面１ａ側で、一方の側端縁部１ｄから他方の側端縁部１ｄに渡って、帯状に設けている。
【００１５】
仮止め弾性帯体２は、長手方向に伸縮自在なゴム帯材から成り、肘保護本体１の裏面１ｂ側に配設され、横断面視で、肘保護本体１の両側端縁部１ｄ，１ｄに縫着されて、両側端縁部１ｄ，１ｄを橋架状に連結する。
仮止め弾性帯体２の各端部21は、裏生地13と縁巻部材14の間に挟み込み状として、縁巻部材14と共に裏生地13に縫着される。
【００１６】
仮止め弾性帯体２は、肘保護本体１の両側端縁部１ｄ，１ｄが相互に接近する方向（本体幅方向内方）へ引張力を発揮している。
言い換えると、仮止め弾性帯体２は、肘保護本体１の両側片部１ｋ，１ｋを、左右内方へ常時弾発付勢している。
さらに言い換えると、仮止め弾性帯体２は、肘保護本体１（の中間材12）からの弾性的復元力を受けて、両端部21，21が相互に離間する本体幅方向外方（左右外方）へのテンションを受けて、張設されている。
【００１７】
そして、横断面視で、肘保護本体１の横断面Ｕ字状の裏面１ｂ（裏生地13）と、横断面一文字状の弾性帯体２とで閉環状（半円状）に包囲された装着用空間部Ｋを形成している。
また、図１と図２に示すように、仮止め弾性帯体２と本体用ファスナ材15とは、肘保護本体１の本体長手方向Ｈの略同一位置に配設されている。
【００１８】
本止め弾性帯体３は、面状ファスナ雌雄一方部Ｆａと係合分離自在な面状ファスナ雌雄他方部Ｆｂを有している。面状ファスナ雌雄他方部Ｆｂ（以下、帯体ファスナ部Ｆｂと呼ぶ場合もある）は、本止め弾性帯体３の一方面30の全面（８０％以上）に設けている。
【００１９】
本止め弾性帯体３は、肘保護本体１に対して完全分離自在である。つまり、帯体ファスナ部Ｆｂが本体ファスナ部Ｆａに係合した取着状態と、帯体ファスナ部Ｆｂが本体ファスナ部Ｆａから分離して（肘保護本体１に縫着等で固着されておらず、また、接続部材等を介して連結されておらず）、肘保護本体１とは別体として（独立して）取扱い可能な分離状態と、に切り替え自在である。
【００２０】
次に、本発明のエルボガードの作用を、使用方法と合わせて説明する。
図３に示すように、肘保護本体１の裏面１ｂと仮止め弾性帯体２とで形成されている装着用空間部Ｋに、図４に示すように、装着者（選手）の腕部を挿通させて、装着者の肘部Ｅ乃至その近傍の所望の装着位置に配設する。
仮止め弾性帯体２は、横断面円弧状に弾性変形する。そして、仮止め弾性帯体２が横断面円弧状から横断面一文字状に戻ろうとする弾性的復元力（弾発付勢力）によって、仮止め弾性帯体２が装着者の腕部（例えば上腕部Ｊ）に密着すると共に、肘保護本体１の幅方向中間部１ｆが装着者の上腕部Ｊに押し付けられ、肘保護本体１の仮止めが行われた仮装着状態となる。
【００２１】
仮装着状態とした後に、（別部材である）本止め弾性帯体３の一方の端部31（31Ａ）を、肘保護本体１の一方の側片部１ｋの本体ファスナ部Ｆａに係合させる。なお、仮装着状態前に、本止め弾性帯体３の一方の端部31Ａを、本体ファスナ部Ｆａに係合させるも良い。
そして、本止め弾性帯体３を、肘保護本体１の裏面１ｂ側で、仮止め弾性帯体２の外面20に対面状に配設させつつ、本止め弾性帯体３を帯体長手方向に引っ張って伸長させて（弾性伸長状態として）、他方の端部31（31Ｂ）を、肘保護本体１の他方の側片部１ｋの本体ファスナ部Ｆａに係合させる。図１と図５に示すように装着者の上腕部Ｊに、本止め弾性帯体３を巻き付けて肘保護本体１を固定した（本位置決めした）本装着状態となる。
【００２２】
言い換えると、本止め弾性帯体３を、肘保護本体１の一方の側片部１ｋ（側端縁部１ｄ）から、肘保護本体１の裏面１ｂ側を通って装着者の腕部に廻り込むように、肘保護本体１の他方の側片部（側端縁部１ｄ）に渡って配設して、本装着状態とする。
【００２３】
図５に示す本装着状態において、本止め弾性帯体３の弾性的復元力（収縮力）によって、肘保護本体１の両側端縁部１ｄ,１ｄ（両側片部１ｋ，１ｋ）が、本体幅方向内方へ引き寄せられ、装着力及び密着性が増す。さらに、本止め弾性帯体３の帯体長手方向中間部と、肘保護本体１の幅方向中間部１ｆとが、装着者の上腕部を挟圧して装着力を高める。
【００２４】
ここで、本止め弾性帯体３を、大きく伸長させて、肘保護本体１に取着すると、本止め弾性帯体３の弾性的復元力が大きくなり、肘保護本体１を強く（大きく）弯曲変形させて、上腕部Ｊに密着させることができる。また、本止め弾性帯体３を、小さく伸長させて、肘保護本体１に取着すると、本止め弾性帯体３の弾性的復元力が小さくなり、圧迫感を軽減できる。即ち、装着者の好みに応じて、装着力（密着性）を容易に変更でき、装着後の位置ズレを防止できると共に、違和感や不快感を軽減できる。また、様々な体格（上腕部Ｊの太さ）に容易に対応できる。さらに、本止め弾性帯体３の各端部31，31を、本体ファスナ部Ｆａの所望の位置に係合できるので、片手での装着を容易かつスムーズに行うことが可能である。
【００２５】
なお、表て生地11と裏生地13と縁巻部材14は、ポリエステル系やナイロン系等の合成樹脂繊維製の織布又は編布が望ましいが、人工皮革（合成皮革）、或いは、天然皮革とするも良い。
表て側内装体12ａと裏側内装体12ｂは、ポリウレタン系発泡樹脂やポリエチレン系発泡樹脂等の弾性変形可能な発泡体が好ましい。
芯材12ｃは、低発泡ポリプロピレンや低発泡ポリエチレン等の弾性変形可能な硬質の発泡体が望ましい。
本体用ファスナ材15は、合成樹脂製の面状ファスナ雌雄一方材そのものが望ましく、特に、面状ファスナ雄材が好ましい。
本止め弾性帯体３は、合成樹脂製の面状ファスナ雌雄他方材そのものが望ましく、特に、面状ファスナ雌材が伸縮性に優れ好ましい。
【００２６】
なお、本発明は設計変更可能であって、肘保護本体１の表て生地11と裏生地13と縁巻部材14と中間材12（12ａ，12ｂ，12ｃ）の材質は自由である。中間材12は、図例のような三層構造に限らず、一層構造や二層構造、或いは、４層以上の構造とするも良い。本体ファスナ部Ｆａは、表て面１ａの全面（約８０％以上）に設けるも良い。本止め弾性帯体３は、一方面30の両端部31，31のみに帯体ファスナ部Ｆｂを設けたものとするも良い。なお、図１乃至図５に於て、縁巻部材14に関する縫製（縫着）部位を一点鎖線で簡略化して図示している。
【００２７】
以上のように、本発明は、表て面１ａ側に面状ファスナ雌雄一方部Ｆａを有する横断面Ｕ字状の肘保護本体１と、上記肘保護本体１の両側端縁部１ｄ，１ｄに橋架状に縫着された仮装着用の仮止め弾性帯体２と、上記肘保護本体１の上記面状ファスナ雌雄一方部Ｆａに係合分離自在な面状ファスナ雌雄他方部Ｆｂを有し上記肘保護本体１に対して完全分離自在な本装着用の本止め弾性帯体３と、を備えたので、肘保護本体１と仮止め弾性帯体２で形成される装着用空間部Ｋに、装着者の腕部を通すだけで、肘保護本体１を装着者の腕部に仮止めでき、腕の太い細いに関係なく容易かつ迅速にひとりで片手にて装着できる。構造が簡素で、部品点数や縫製工程が少なく、容易（安価）に製造できる。また、軽量で、装着者に違和感や不快感を与えることが無く、使い勝手に優れる。本止め弾性帯体３にて装着力や密着性の調整を容易かつ迅速に行うことができる。
【００２８】
また、上記肘保護本体１は、表て生地11と裏生地13とが積層状に配設された外周縁部を挟持するように縫着される縁巻部材14を有し、上記仮止め弾性帯体２の各端部21は、上記肘保護本体１の上記裏生地13と上記縁巻部材14の間に挟み込み状に縫着されているので、縫製工程を簡略化でき、能率良く製造できる。仮止め弾性帯体２を強力に固着できる。
【符号の説明】
【００２９】
１  肘保護本体
１ａ  表て面
１ｄ  側端縁部
２  仮止め弾性帯体
３  本止め弾性帯体
11  表て生地
13  裏生地
14  縁巻部材
21  端部
Ｆａ  面状ファスナ雌雄一方部
Ｆｂ  面状ファスナ雌雄他方部
【図１】
2020068948.tif 000003
【図２】
2020068948.tif 000004
【図３】
2020068948.tif 000005
【図４】
2020068948.tif 000006
【図５】
2020068948.tif 000007
【図６】
2020068948.tif 000008